(57)【要約】【課題】伸縮延長管において、導電体収納部を外管、内管の外側に配設しても導電体収納部の強度・耐久性を確保でき、かつ防塵性・電気的安全性に優れた構成を提供すること。【解決手段】互いに軸方向に摺動する外管３０及び内管３１と、前記各々の管体の外側で互いに摺動自在に設けた導電体の外管側収納部４０及び内管側収納部４３とからなり、前記外管側収納部４０は蓋体３６と底体３８を一体化した筒体３９とした。これにより、導電体収納部の強度・耐久性を確保でき、かつ防塵性・電気的安全性に優れた伸縮延長管を提供でえきるものである。【選択図】図２
2005304761.tif 000002
【特許請求の範囲】
【請求項１】
互いに軸方向に摺動する外管及び内管と、前記外管及び内管のそれぞれの外側で互いに摺動自在に設けられ導電体を収納する外管側収納部及び内管側収納部とを備え、前記外管側収納部を、前記外管の外側に一体的に固定され伸縮自在な導電体を収納する筒体とした伸縮延長管。
【請求項２】
筒体は外側を覆う蓋体と底面を覆う底体とを備え、前記蓋体と底体とを着脱自在に構成した請求項１記載の伸縮延長管。
【請求項３】
筒体の下面と、外管の天面との間に、内管側収納部の一部を設ける構成とした請求項１または２記載の伸縮延長管。
【請求項４】
内管側収納部の端部には内管側収納部の導電体と筒体内の伸縮自在な導電体との電気接続部を配した請求項３記載の伸縮延長管。
【請求項５】
伸縮自在な導電体としてフラットケーブルを採用した請求項１〜４のいずれか１項記載の伸縮延長管。
【請求項６】
互いに軸方向に摺動する外管及び内管と、前記外管及び内管の外側で互いに摺動自在に設けられ導電体を収納する外管側収納部及び内管側収納部と、前記外管の内管側端部に設けた拡管部とを備え、前記内管側収納部の外管側端部の断面を前記拡管部の天面内側に設けた挿入部の断面と略同一にすると共に、前記外管の外側に設けた段部Ｂと嵌合する段部Ａを前記内管側収納部の外管側端部に設けた伸縮延長管。
【請求項７】
段部Ａは、高さ方向に変位する弾性体で形成した請求項６記載の伸縮延長管。
【請求項８】
弾性体を、厚さの違う２種類の板バネで構成した請求項７記載の伸縮延長管。
【請求項９】
段部Ｂを筒体の外側に配してなる請求項６〜８のいずれか１項記載の伸縮延長管。
【請求項１０】
電動送風機を内蔵する掃除機本体と、前記電動送風機の吸気側に一端を連通するホース体と、前記ホース体に接続した請求項１〜９のいずれか１項記載の伸縮延長管と、前記伸縮延長管の他端に接続され駆動モータにより駆動される回転ブラシを内蔵した吸込具とを備えた電気掃除機。
【発明の詳細な説明】
【技術分野】
【０００１】
本発明は、電気掃除機に用いる延長管の構造に関するものであり、特に導電体を内蔵し長さを調節できる機構を備えた伸縮自在な延長管の構造に関するものである。
【背景技術】
【０００２】
従来のこの種の延長管として伸縮自在な絶縁管で伸縮自在な導電体を被覆して吸気通路から分離して外管、内管の外側または内側に配置する構成のものが提案されていた（例えば、特許文献１参照）。
【０００３】
又、導電体収納部を吸気通路から分離して外管、内管の外側に配置したものがあった（例えば、特許文献２参照）。
【特許文献１】特開平４−１８９３３７号公報
【特許文献２】特許第３１２９３１０号公報
【発明の開示】
【発明が解決しようとする課題】
【０００４】
しかしながら前記従来の延長管では、導電体収納部を内管の内側に設ける場合は塵埃の通路中に絶縁管が配置されるため、ゴミつまりを起こし易いという課題があった。
【０００５】
本発明は前記従来の課題を解決するもので、導電体収納部を外管、内管の外側に配設し、かつ導電体の防塵・絶縁効果が得られ信頼性が高く、かつ生産性が高くコストを低減できる構成を提供することを目的とする。
【０００６】
さらに本発明の他の目的は導電体収納部の外力に対する変形防止を行い、導電部の露出を防いで安全性の高い構成を小型・軽量で実現することである。
【課題を解決するための手段】
【０００７】
前記従来の課題を解決するために本発明は、互いに軸方向に摺動する外管及び内管と、前記外管及び前記内管の外側で互いに摺動自在でかつ導電体を収納する外管側収納部及び内管側収納部とからなり、前記外管側収納部を、前記外管の外側に一体的に固定し伸縮自在な導電体を収納する筒体としたものである。
【０００８】
また、内管側収納部を外管の拡管部の上面に設けた挿入部の断面より小さくし、端部を挿入部の断面と略同一にまで大きくして形成した段部Ａと、外管側収納部を外管に組み付けることにより挿入部の後端部のみ断面を小さくして形成させた段部Ｂからなる係合部を設けたものである。
【０００９】
これによって導電体収納部は防塵・絶縁効果を高められ、外力に対して強度を強くすることができ安全性を高めることができる。
【発明の効果】
【００１０】
本発明の導電伸縮延長管は、導電体収納部を外管、内管の外側に構成しながら筒体に収納することによって、防塵・絶縁効果を高めかつ段部による抜け止め構成を設けたので、外力に対する強度を強くでき安全性を高めることができるものである。
【発明を実施するための最良の形態】
【００１１】
第１の発明は、互いに軸方向に摺動する外管及び内管と、前記外管及び前記内管の外側で互いに摺動自在でかつ導電体を収納する外管側収納部及び内管側収納部とからなり前記外管側収納部を、前記外管の外側に一体的に固定し伸縮自在な導電体を収納する筒体としたもので、導電体部の防塵性を高めるとともに剛性を向上させることができる。
【００１２】
第２の発明は、筒体は外側を覆う蓋体と底面を覆う底体からなり、蓋体と底体を互いに一体化させて構成したもので、構成がし易く生産性を高めることができる。
【００１３】
第３の発明は、筒体には、内管側収納部の後端部を収めて構成したもので、内管側収納部と外管側収納部を互いに重複させて構成し、導電体部への防塵性をより高めることができるものである。
【００１４】
第４の発明は、上記内管側収納部の後端には内管側収納部の導電体と筒体内の伸縮自在な導電体との電気接続部を配したもので、電気接続部の防塵性を高めると同時に内管側収納部と外管側収納部を各々ユニットとして扱うことができるので組み立て性を向上し、生産性を高めることができる。
【００１５】
第５の発明は、伸縮自在な導電体としてフラットケーブルを採用したもので、導電部の伸縮耐久性を高め、長期使用に対する信頼性を向上できる。
【００１６】
第６の発明は、互いに軸方向に摺動する外管及び内管と、前記各々の管体の外側で互いに摺動自在に設けた導電体の外管側収納部及び内管側収納部と、外管の内管側に設けた拡管部に装着した保持体とからなり、内管側収納部を外管の拡管部の上面に設けた挿入部の断面より小さくし、端部を挿入部の断面と略同一にまで大きくして形成した段部Ａと、外管側収納部を外管に組み付けることにより挿入部の後端部のみ断面を小さくして形成させた段部Ｂからなる係合部を備えたもので内管側収納部が外力で引っ張られた場合に抜け止めを確実に行うことが導電部の露出を防ぎ安全性を高めることができる。
【００１７】
第７の発明は、段部Ａは内管側収納部の後端部に収納され高さ方向に変位する弾性体で形成したもので、内管側挿入部を外管に挿入する挿入部を小型化でき、延長管を小型・軽量化できるものである。
【００１８】
第８の発明は、弾性体を厚さの違う２種類の板バネで構成したもので、一層の薄型化ができると同時に強度確保の信頼性を高めることができる。
【００１９】
第９の発明は、外管側収納部を筒体で構成し、段部Ｂを筒体の外側に配してなるもので、外管側収納部の高さを低くでき延長管を小型・軽量化できる。
【００２０】
第１０の発明は、電動送風機を内蔵する掃除機本体と、前記電動送風機の吸気側に一端を連通するホース体とこのホース体に接続した請求項１〜９のいずれか１項記載の伸縮延長管と前記伸縮延長管の他端に接続する駆動モータにより駆動される回転ブラシを内蔵した吸込具からなるもので、電気的信頼性が高く、小型・軽量で使い易くかつ生産性の高い伸縮延長管を備えた電気掃除機を得ることができる。
【００２１】
以下、本発明の実施の形態について、図面を参照しながら説明する。なおこの実施の形態によって本発明が限定されるものではない。
【００２２】
（実施の形態１）
図１は、電気掃除機全体を示すもので、２０は、電動送風機（図示せず）、集塵室（図示せず）を有する掃除機本体で、前記掃除機本体２０の接続口２１に、ホース体２４の一端に設けた接続管２２が接続される。ホース体２４の他端側には握り管２３が設けられ、その握り管２３に接続された導電伸縮延長管２５の他端側に駆動モータ（図示せず）により駆動されて塵埃を掻き上げる回転ブラシ（図示せず）を内蔵した吸込具２６が接続されている。
【００２３】
次に、本発明の導電伸縮延長管２５について図１〜図６に基づいて説明する。
【００２４】
導電伸縮延長管２５は互いに軸方向に摺動する外管３０及び内管３１からなり、外管３０はホース体２４との接続部Ａ３２を備え吸気通路３３を有する径大のパイプ体からなり、内管３１は吸込具２６との接続部Ｂ３４を備え、吸気通路３５を有する径小のパイプ体から構成されている。
【００２５】
外管３０の上部には、蓋体３６と複数の溶着部３７で超音波溶着により一体化した底体３８からなる筒体３９で構成した外管側収納部４０が一体的に取り付けられ、内管３１の上部には上カバー４１と下カバー４２を一体化して構成した内管側収納部４３が吸気通路３５と空間をおいて取り付けてある。
【００２６】
導電体４４は、外管３０の接続部Ａ３２の上部で蓋体３６と挟持した接続端子Ａ４５と内管３１の上部に配し上カバー４１との間に固定した接続端子Ｂ４６の間を、筒体３９に収めたコネクターＡ４７と内管側収納部４３の後端に取り付けたコネクターＢ４８の間は可とう性を有するフラットケーブル５０で、その他の部分をリード線５１、５２で各々つないで構成し、外管側収納部４０と内管側収納部４３に収納されている。
【００２７】
外管３０と蓋体３６には互いに係合する複数の係止部５４が形成してある。係止部５４は外管３０に形成した引っ掛け凹部５５と蓋体３６の両側壁面下端に形成した係止爪部５６とからなり、引っ掛け凹部５５の外管３０の軸（矢印Ｐ）方向の長さは係止爪部５６の幅より大きくして、外管３０の引っ掛け凹部５５の一端から係止爪部５６の背面を隙間無く押さえる係止リブ５７が設けてある。
【００２８】
外管３０の上面には蓋体３６の両側壁面下端の左右外側に下端を覆って凸形状の壁面５８を形成してあり、外管３０の接続部Ａ３２との反対側に形成した拡管部６０の開口６１に蓋体３６の嵌合部６２が挿入され嵌合してある。
【００２９】
次に上記構成による筒体３９からなる外管側収納部４０の動作、作用について説明する。
【００３０】
筒体３９は蓋体３６に設けた係止爪部５６を外管３０の係止リブ５７のない位置で弾性変形させて引っ掛け凹部５５に係合させた後、係止爪部５６の背面が係止リブ５７に近接して当接する位置まで軸方向にスライド変位させ、蓋体３６の嵌合部６２を拡管部６０に挿入させて一体化した後、接続部Ａ３２側をタッピンネジで外管３０に固定するものである。
【００３１】
この組み立て動作により、筒体３９は蓋体３６に設けた係止爪部５０は外管３０の軸方向に直角なＸ、Ｙ方向各々で互いに両側から拘束されることになる。すなわちＸ方向では引っ掛け凹部５５の垂直平面５５ａと係止リブ５７との間で、Ｙ方向では引っ掛け凹部５５の上下水平面で挟持されるので、捩りや踏みつけ等の外力に対して係止爪部５６が変形により外管３０から外れることが無く蓋体３６と外管３０を確実に一体化できるものである。
【００３２】
また、使用中に机の桟などに蓋体３６が衝突しても、外力は壁面５８に先に加わり蓋体３６の下端部近傍には外力が加わらないので、蓋体３６の下端部が変形し隙間を生ずるとか外管３０との位置がずれるとか亀裂を発生させることなどがなくなり強度上の信頼性を高めることができる。
【００３３】
さらに、拡管部６０の開口６１に蓋体３６の嵌合部６２が挿入され嵌合してあるので、端部における蓋体３６の開き変形を防ぎ一体化を確実にするとともに、端面が嵌合部分に隠れるので蓋体３６の長さが変化しても外観に変化が現れることがないので成形品の寸法バラツキを吸収でき生産性を高めることができる。
【００３４】
そして、蓋体３６と底体３８を超音波溶着で一体的に結合した筒体３９で外管側収納部を構成しているので、蓋体３６の係止部４８の係合力が高まるのみでなく軸方向の全域に渡って剛性を高めることができるので強度上の信頼性を高めることができるものである。  
【００３５】
又蓋体３６の両側の外管３０との隙間から侵入する塵埃が底体３８で導電部に到達するのを防ぐことができる。
【００３６】
また筒体３９を蓋体３６と底体３８の２部品で構成し、コネクターＡ４７やリード線５１を内部に収納して組み立てることができるとともに、各部品の成型が容易になり生産性が高いものである。
【００３７】
さらに最大伸張状態でも内管側収納部４３の後端部を筒体３９の中に収め、内管側収納部４３と外管側収納部４０を常に互いに重複させて構成しているので導電体部への防塵性をより高めることができる。
【００３８】
そして内管側収納部の後端にはコネクターＢ４８を配し内管側収納部４３と外管側収納部４０を各々ユニットとして扱うことができ組み立て性を向上させ生産性を高めることができるとともにコネクターＢ４８部の防塵性を確保できるものである。
【００３９】
又、伸縮自在な導電体としてフラットケーブル５０を採用しているので導電部の伸縮耐久性を高め、長期使用に対する信頼性を向上できる。
【００４０】
次に本発明による内管側収納部４３の抜け止め構成について図５〜図７基づいて説明する。
【００４１】
外管３０の拡管部６０には内管３１を保持し内管側収納部４３を挿入する挿入部６３を有する保持体６４が装着してあり、開口６１の下側には段部Ａ６５を形成してある。そして内管側収納部４３のカバー下４１の後端下部に凹部６６を設け、厚さの違う２種類の板バネＡ６７と板バネＢ６８からなる弾性体７０を固定してある。板バネＡ６７は０．２ｍｍ、板バネＢ６８は０．５ｍｍのそれぞれバネ用ＳＵＳ材を端部でスポット溶接して一体化してある。弾性体７０は板バネＡ６７の弾性変位によって板バネＢ６８と密着するまで高さ方向に変位し凹部６６内に収納可能な厚さに設定されている。そして後端面は凹部６６の段部に当接している。一方筒体３９の蓋体３６の前端部には内管側収納部４３の上カバー４１の上面を押圧する当接部７１を形成し、底体３８の前端には切り欠き部７２を形成してある。
【００４２】
次に上記抜け止め構成の動作、作用について説明する。
【００４３】
内管側収納部４３を挿入する際弾性体７０は凹部６６内に収納され段部Ａ６５を通過した位置で板バネＢ６８が反発力で下方に変位し切り欠き部７１に入り前端が段部Ａ６５に相対する状態になる。この状態（最長伸長状態で）内管側収納部４３と内管３１の間に手を挿入して内管側収納部４３が外側に引っ張られた場合、内管側収納部４３は板バネＢ６８が凹部６６の段部と外管３０の段部Ａ６５の間で突っ張り、抜け止め力を発生させるものである。すなわち導電体を収納している内管側収納部４３は引っ張り力に抗して外管側収納部４０から抜けることがないので導電部露出に至らず電気的安全性を確保できる。
【００４４】
そして組み立てる時の挿入時や伸縮動作させる時には弾性変形によって高さを減じて凹部６６に収まるため、挿入部の高さや筒体３９の高さを最小にでき小型化がはかれるものである。
【００４５】
又、弾性体７０は金属板バネで構成しているので、強度を確保しながら薄型化ができ一層の小型化を可能にするものである。
【００４６】
さらに筒体３９の前端部に設けた切り欠き部７２を使って弾性体７０を変位させ段部Ｂ７２を構成させているので外管側収納部４０を構成する筒体３９の高さを低くできるので延長管の小型、軽量化が可能になるものである。尚本実施の形態では外管側収納部４０を筒体３９で構成しているが筒体でない構成であっても良い。
【００４７】
又、拡管部６０には保持体６４の上面に配した操作部７３と下面に配し内管３１の下面に形成した係止凹部７４と係合する係止凸部７５を、保持体６４と外管３０の間を通る連結部（図示せず）で一体化した押し釦７６を、バネ体７７で上方に附勢して取り付けてある。そして押し釦７６を操作することによって係止凸部７５の係止凹部７４との係合を着脱し、内管３１を外管３０に対して変位させ伸縮を自在におこなえるものである。
【００４８】
係止体７８は保持体６４を外管３０に係止させるものであり、保持体の６４の後方には気密を確保するためのパッキン７９と内管３１を外管３０に対して抜け止めするためのストッパー８０が取り付けてある。
【００４９】
さらに、内管３１の先端部にはバネ体８１で吸込具２７との係合側に附勢された尾錠８２を上側カバー４１との間で挟持している。
【００５０】
（実施の形態２）
実施の形態１では弾性体７０を使用したが、下カバー４２に一体に段部Ｂ８３を構成しても良い。この実施の形態２について図８〜９に基づいて説明する。なお、上記実施の形態と同一部分については同一符号を付してその説明を省略する。
【００５１】
内管側収納部４３の下カバー４１の後端部には段部Ｂ８３が一体に形成される。そして内管側収納部４３の断面を挿入部６３の断面より小さくし段部Ｂを含んだ後端部のみ挿入部６３の断面と略同一にまで大きくしてある。そして蓋体３６を装着すると当接部７１が内管側収納部４３の上カバー４１の上面を押し下げて、挿入部６３上面と上カバー４１の上面との間に空間８４を形成し、段部Ａ６５に段部Ｂ８３を相対させて抜け止め機構を構成させている。
【００５２】
上記構成において動作、作用を説明すると組み立て時は段部Ｂ８３を含んで内管側収納部４３を挿入部６３に挿入した後、蓋体３６を開口６１に差し込むと段部Ｂ８３は押し下げられ伸張方向に引っ張られても段部Ａ６５と当接して変位を阻止され抜け止めとすることができる。本実施例によれば段部Ｂ８３の形成に別部品を必要としないのでコスト低減が可能である。又外管側収納部４０を筒体に構成する必要はないものである。
【産業上の利用可能性】
【００５３】
以上のように、本発明にかかる伸縮延長管及びこれを用いた電気掃除機は、導電体収納部を外管、内管の外側に構成しながら、筒体により外管側収納部を構成し薄型の内管側収納部の抜け止め構成を採用しているので防塵性、電気的安全性を高めることが可能となり、導電体を内蔵し長さを調節できる機構を備えた伸縮自在な延長管の構造に適用できる。
【図面の簡単な説明】
【００５４】
【図１】本発明の実施の形態１における導電伸縮延長管を備えた電気掃除機の全体構成図
【図２】（ａ）同、導電伸縮延長管最短時の全体構成を示す断面図（ｂ）同、導電伸縮延長管最長時の全体構成を示す断面図
【図３】同、導電伸縮延長管の外管と蓋体および底体からなる筒体の分解斜視図
【図４】同、導電伸縮延長管の最短時の全体構成を示す平面図
【図５】同、導電伸縮延長管の拡管部の構成を示す断面図
【図６】図５におけるＡ−Ａ断面図
【図７】本発明の実施の形態１における弾性体の斜視図
【図８】本発明の実施の形態２における導電伸縮延長管の拡管部の構成を示す断面図
【図９】図８におけるＢ−Ｂ断面図
【符号の説明】
【００５５】
２０  本体
２５  導電伸縮延長管
２６  吸込具
３０  外管
３１  内管
３６  蓋体
３８  底体
３９  筒体
４０  外管側収納部
４３  内管側収納部
【図１】
2005304761.tif 000003
【図２】
2005304761.tif 000004
【図３】
2005304761.tif 000005
【図４】
2005304761.tif 000006
【図５】
2005304761.tif 000007
【図６】
2005304761.tif 000008
【図７】
2005304761.tif 000009
【図８】
2005304761.tif 000010
【図９】
2005304761.tif 000011